(57)【要約】【課題】  複数の記録層を持つ多層記録媒体である光ディスクに情報を記録する場合に、記録パワーだけでなく、デフォーカス量も最適化して、記録ジッタなどを良好に保って記録することができるようにする。【解決手段】  ＣＰＵは、情報を記録しようとする以前に、最適記録パワーを決定しようとするＯＰＣを実施し（ステップＳ１）、最適記録パワーＰｗが決定する（ステップＳ２）。次に、先に決まった記録パワーＰｗを使って、フォーカス位置を変移させながら、光ディスクにテストライトする（ステップＳ３）。このテストライトの結果から最適なフォーカスオフセット量を決定するために、記録後の再生信号の特性値が最適になるようにパラメータを決定する（ステップＳ４）。そして、実際の記録においては、前述によって決まった最適な記録パワーと最適なフォーカスオフセット量で記録を行う（ステップＳ５）。【選択図】    図４
2005141851.tif 000002
【特許請求の範囲】
【請求項１】
光ディスクに光を照射して情報を記録する光ディスク装置において、
前記記録の最適記録パワーを決定しようとするＯＰＣを実施するＯＰＣ手段と、
前記記録の最適記録パワーで前記光を前記光ディスクに集光する対物レンズのフォーカス位置を変移させながら、前記光ディスクにテストライトするテストライト手段と、
このテストライトの結果から前記対物レンズの最適なフォーカスオフセット量のパラメータを決定するパラメータ決定手段と、
を備えていることを特徴とする光ディスク装置。
【請求項２】
前記ＯＰＣの結果から前記最適記録パワーを決定する最適記録パワー決定手段を備えていることを特徴とする請求項１に記載の光ディスク装置。
【請求項３】
前記パラメータ決定手段は、前記対物レンズのフォーカスオフセット量の最適値を決定するために、前記記録後の再生信号の特性値が最適になるように前記パラメータを決定する、ことを特徴とする請求項１又は２に記載の光ディスク装置。
【請求項４】
前記パラメータ決定手段は、前記対物レンズのフォーカスオフセット量の最適値を決定するために、前記記録中の同期信号の検出感度が最適になるように前記パラメータを決定する、ことを特徴とする請求項１又は２に記載の光ディスク装置。
【請求項５】
前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする請求項１又は２に記載の光ディスク装置。
【請求項６】
前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする請求項５に記載の光ディスク装置。
【請求項７】
前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする請求項５に記載の光ディスク装置。
【請求項８】
光ディスクに光を照射して情報を記録する光ディスク装置に用いるパラメータを決定するパラメータ決定方法において、
前記記録の最適記録パワーを決定しようとするＯＰＣを実施する工程と、
前記記録の最適記録パワーで前記光を前記光ディスクに集光する対物レンズのフォーカス位置を変移させながら、前記光ディスクにテストライトする工程と、
このテストライトの結果から前記対物レンズの最適なフォーカスオフセット量のパラメータを決定する工程と、
を含んでなることを特徴とするパラメータ決定方法。
【請求項９】
前記ＯＰＣの結果から前記最適記録パワーを決定する工程を含んでなることを特徴とする請求項８に記載のパラメータ決定方法。
【請求項１０】
前記パラメータを決定する工程は、前記対物レンズのフォーカスオフセット量の最適値を決定するために、前記記録後の再生信号の特性値が最適になるように前記パラメータを決定する、ことを特徴とする請求項８又は９に記載のパラメータ決定方法。
【請求項１１】
前記パラメータを決定する工程は、前記対物レンズのフォーカスオフセット量の最適値を決定するために、前記記録中の同期信号の検出感度が最適になるように前記パラメータを決定する、ことを特徴とする請求項８又は９に記載のパラメータ決定方法。
【請求項１２】
前記パラメータを決定する工程は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする請求項８又は９に記載のパラメータ決定方法。
【請求項１３】
前記パラメータを決定する工程は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする請求項１２に記載のパラメータ決定方法。
【請求項１４】
前記パラメータを決定する工程は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする請求項１２に記載のパラメータ決定方法。
【請求項１５】
光ディスクに光を照射して情報を記録する光ディスク装置の制御をコンピュータに実行させるプログラムにおいて、
前記記録の最適記録パワーを決定しようとするＯＰＣを実施するＯＰＣ手段と、
前記記録の最適記録パワーで前記光を前記光ディスクに集光する対物レンズのフォーカス位置を変移させながら、前記光ディスクにテストライトするテストライト手段と、
このテストライトの結果から前記対物レンズの最適なフォーカスオフセット量のパラメータを決定する決定手段と、
を前記光ディスク装置に実行させるプログラム。
【請求項１６】
前記ＯＰＣの結果から前記最適記録パワーを決定する最適記録パワー決定手段を前記光ディスク装置に実行させることを特徴とする請求項１５に記載のプログラム。
【請求項１７】
前記パラメータ決定手段は、前記対物レンズのフォーカスオフセット量の最適値を決定するために、前記記録後の再生信号の特性値が最適になるように前記パラメータを決定する、ことを特徴とする請求項１５又は１６に記載のプログラム。
【請求項１８】
前記パラメータ決定手段は、前記対物レンズのフォーカスオフセット量の最適値を決定するために、前記記録中の同期信号の検出感度が最適になるように前記パラメータを決定する、ことを特徴とする請求項１５又は１６に記載のプログラム。
【請求項１９】
前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする請求項１５又は１６に記載のプログラム。
【請求項２０】
前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする請求項１９に記載のプログラム。
【請求項２１】
前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする請求項１９に記載のプログラム。
【請求項２２】
プログラムを記憶している記憶媒体において、
前記プログラムは、請求項１５〜２１のいずれかの一に記載のプログラムである、ことを特徴とする記憶媒体。
【発明の詳細な説明】
【技術分野】
【０００１】
本発明は、光ディスク装置、パラメータ決定方法、プログラム及び記憶媒体に関する。
【背景技術】
【０００２】
特許文献１には、多層光ディスクのフォーカス合わせを行う所望の記録層を指定するための記録層指定部と、指定された記録層にフォーカス合わせを行うフォーカスサーチジェネレータと、対物レンズ移動方向検出回路と、各記録層に対応するフォーカスエラー信号の最大値及び最小値を検出する最大値検出回路及び最小値検出回路と、これら各検出回路からの最大データ及び最小データを一旦記憶する記憶回路と、この記憶回路から読み出された最大値データから最小値データを減算処理する演算回路と、この演算回路からの演算データに基づいてフォーカスエラー信号に規格化処理を施すフォーカスエラー規格化回路と、を備えてなるフォーカス制御装置が開示されている。
【０００３】
【特許文献１】特開平０８−１８５６３６号公報
【発明の開示】
【発明が解決しようとする課題】
【０００４】
一般に、追記又は書換え記録可能な光ディスクでは、情報を記録しようとするより以前に、パワーキャリブレーション（ＯＰＣ：Optimum Power Control）と呼ばれる機能を使って、記録するためのレーザ光の最適パワーを検出している。
【０００５】
一般的なパワーキャリブレーションの方法を以下に説明する。すなわち、光ディスクの記録面上には、各種データを記録するためのデータエリア、レーザ光の最適パワーを検出するためのテスト記録領域（ＰＣＡ：Power Calibration Area、以下ＰＣＡ）等が設けられている。ＰＣＡはテストエリアとカウントエリアとからなるものであり、テストエリアは１００個のパーティションから構成され、それぞれのパーティションは１５個のフレームで構成されている。１回のＯＰＣ動作では前記パーティションの１つが使用されるようになっており、これらパーティションの各々に含まれる１５個のフレームに対して少なくとも２つ以上のレーザパワーでテスト記録すると共に、それぞれのフレーム内のテスト信号を再生し、この再生信号と目標としている値とを比較して、両者が一致した段階のレーザパワーを最適パワーとして検出する。データエリアに対する情報の記録動作は、以上のようなＯＰＣ動作によって検出された最適パワーによって行われる。
【０００６】
そして、上記のような最適パワーを検出して、情報を記録すれば記録品質は目標値になるように設定するが、実際には、記録品質を決めるパラメータは、例えば、対物レンズのフォーカス方向へのオフセットのように、他にも存在する。しかし、通常の光ディスク装置でのＯＰＣ動作ではレーザパワーだけをパラメータとして実施しており、他の記録品質に関するパラメータに対しては、考慮されていなかった。
【０００７】
また、情報を再生、記録する場合の、光ディスクに光を集光する対物レンズのフォーカス方向への光ディスクに対する相対位置は、特許文献１に見られるように、再生または、記録を行おうとする光ディスクの所望の層の合焦位置に正確にフォーカシングすることが一般的である。この場合、情報を記録する場合のフォーカス方向への対物レンズの光ディスクに対する相対位置は、再生しようとする場合の最適な位置と異なり、記録ジッタを最適にするように対物レンズをフォーカス方向に移動させて記録することは一般的である。
【０００８】
しかしながら、少なくとも２層以上の記録層を有し、各記録層に対して情報を記録可能な多層記録媒体である光ディスクの場合、対物レンズの合焦位置から対物レンズを移動させることで、記録をしようとする記録層と異なる記録層へレーザ発光の影響がでてしまうことが考えられる。
【０００９】
本発明の目的は、複数の記録層を持つ多層記録媒体である光ディスクに情報を記録する場合に、記録パワーだけでなく、デフォーカス量も最適化して、記録ジッタなどを良好に保って記録することができるようにすることである。
【課題を解決するための手段】
【００１０】
請求項１に記載の発明は、光ディスクに光を照射して情報を記録する光ディスク装置において、前記記録の最適記録パワーを決定しようとするＯＰＣを実施するＯＰＣ手段と、前記記録の最適記録パワーで前記光を前記光ディスクに集光する対物レンズのフォーカス位置を変移させながら、前記光ディスクにテストライトするテストライト手段と、このテストライトの結果から前記対物レンズの最適なフォーカスオフセット量のパラメータを決定する決定手段と、を備えていることを特徴とする光ディスク装置である。
【００１１】
請求項２に記載の発明は、請求項１に記載の光ディスク装置において、前記ＯＰＣの結果から前記最適記録パワーを決定する最適記録パワー決定手段を備えていることを特徴とする。
【００１２】
請求項３に記載の発明は、請求項１又は２に記載の光ディスク装置において、前記パラメータ決定手段は、前記対物レンズのフォーカスオフセット量の最適値を決定するために、前記記録後の再生信号の特性値が最適になるように前記パラメータを決定する、ことを特徴とする。
【００１３】
請求項４に記載の発明は、請求項１又は２に記載の光ディスク装置において、前記パラメータ決定手段は、前記対物レンズのフォーカスオフセット量の最適値を決定するために、前記記録中の同期信号の検出感度が最適になるように前記パラメータを決定する、ことを特徴とする。
【００１４】
請求項５に記載の発明は、請求項１又は２に記載の光ディスク装置において、前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする。
【００１５】
請求項６に記載の発明は、請求項５に記載の光ディスク装置において、前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする。
【００１６】
請求項７に記載の発明は、請求項５に記載の光ディスク装置において、前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする。
【００１７】
請求項８に記載の発明は、光ディスクに光を照射して情報を記録する光ディスク装置に用いるパラメータを決定するパラメータ決定方法において、前記記録の最適記録パワーを決定しようとするＯＰＣを実施する工程と、前記記録の最適記録パワーで前記光を前記光ディスクに集光する対物レンズのフォーカス位置を変移させながら、前記光ディスクにテストライトする工程と、このテストライトの結果から前記対物レンズの最適なフォーカスオフセット量のパラメータを決定する工程と、を含んでなることを特徴とするパラメータ決定方法である。
【００１８】
請求項９に記載の発明は、請求項８に記載のパラメータ決定方法において、前記ＯＰＣの結果から前記最適記録パワーを決定する工程を含んでなることを特徴とする。
【００１９】
請求項１０に記載の発明は、請求項８又は９に記載のパラメータ決定方法において、前記パラメータを決定する工程は、前記対物レンズのフォーカスオフセット量の最適値を決定するために、前記記録後の再生信号の特性値が最適になるように前記パラメータを決定する、ことを特徴とする。
【００２０】
請求項１１に記載の発明は、請求項８又は９に記載のパラメータ決定方法において、前記パラメータを決定する工程は、前記対物レンズのフォーカスオフセット量の最適値を決定するために、前記記録中の同期信号の検出感度が最適になるように前記パラメータを決定する、ことを特徴とする。
【００２１】
請求項１２に記載の発明は、請求項８又は９に記載のパラメータ決定方法において、前記パラメータを決定する工程は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする。
【００２２】
請求項１３に記載の発明は、請求項１２に記載のパラメータ決定方法において、前記パラメータを決定する工程は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする。
【００２３】
請求項１４に記載の発明は、請求項１２に記載のパラメータ決定方法において、前記パラメータを決定する工程は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする。
【００２４】
請求項１５に記載の発明は、光ディスクに光を照射して情報を記録する光ディスク装置の制御をコンピュータに実行させるプログラムにおいて、前記記録の最適記録パワーを決定しようとするＯＰＣを実施するＯＰＣ手段と、前記記録の最適記録パワーで前記光を前記光ディスクに集光する対物レンズのフォーカス位置を変移させながら、前記光ディスクにテストライトするテストライト手段と、このテストライトの結果から前記対物レンズの最適なフォーカスオフセット量のパラメータを決定する決定手段と、を前記光ディスク装置に実行させるプログラムである。
【００２５】
請求項１６に記載の発明は、請求項１５に記載のプログラムにおいて、前記ＯＰＣの結果から前記最適記録パワーを決定する最適記録パワー決定手段を前記光ディスク装置に実行させることを特徴とする。
【００２６】
請求項１７に記載の発明は、請求項１５又は１６に記載のプログラムにおいて、前記パラメータ決定手段は、前記対物レンズのフォーカスオフセット量の最適値を決定するために、前記記録後の再生信号の特性値が最適になるように前記パラメータを決定する、ことを特徴とする。
【００２７】
請求項１８に記載の発明は、請求項１５又は１６に記載のプログラムにおいて、前記パラメータ決定手段は、前記対物レンズのフォーカスオフセット量の最適値を決定するために、前記記録中の同期信号の検出感度が最適になるように前記パラメータを決定する、ことを特徴とする。
【００２８】
請求項１９に記載の発明は、請求項１５又は１６に記載のプログラムにおいて、前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする。
【００２９】
請求項２０に記載の発明は、請求項１９に記載のプログラムにおいて、前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする。
【００３０】
請求項２１に記載の発明は、請求項１９に記載のプログラムにおいて、前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする。
【００３１】
請求項２２に記載の発明は、プログラムを記憶している記憶媒体において、前記プログラムは、請求項１５〜２１のいずれかの一に記載のプログラムである、ことを特徴とする記憶媒体である。
【発明の効果】
【００３２】
請求項１，２，８，９，１５，１６記載の発明によれば、複数の記録層を持つ多層記録媒体である光ディスクに情報を記録する場合に、記録パワーだけでなく、デフォーカス量も最適化されるため、記録ジッタなどを良好に保って記録することができる。
【００３３】
請求項３，１０，１７記載の発明によれば、請求項１，２，８，９，１５，１６記載の発明において、フォーカス方向にデフォーカスしてテストライトした後で、最適な再生特性を得られるデフォーカス量を選択することとしたので、多層記録媒体である光ディスクに情報を記録する場合に、再生特性の良好な記録品質に保って記録することができる。
【００３４】
請求項４，１１，１８記載の発明によれば、請求項１，２，８，９，１５，１６記載の発明において、記録中の同期信号が最良に得られるデフォーカス位置で記録を行うことができるので、状態の悪い光ディスクへの記録や、サーボの乱れなどによる記録同期のはずれに起因する記録の失敗に陥ることなく、良好な品質で記録ができる。
【００３５】
請求項５，１２，１９記載の発明によれば、請求項１，２，８，９，１５，１６記載の発明において、情報を記録する場合の記録動作を行わない記録層への記録パワーの影響がなく、かつ記録品質を良好に保つことが可能であるため、複数層への記録をしても各記録層の記録品質を良好に保つことができる。
【００３６】
請求項６，１３，２０記載の発明によれば、請求項５，１２，１９記載の発明において、記録動作を行わない記録層が既記録済の状態であった場合に、記録動作を行わない記録層の再生信号が劣化しないように、かつ記録層への記録品質がよくなるようにデフォーカスするので、記録動作後に、既に記録してあった層の品質も良好に保ち、かつ、記録動作を行った記録層の記録品質も良好にすることができる。
【００３７】
請求項７，１４，２１記載の発明によれば、請求項５，１２，１９記載の発明において、記録動作を行わない記録層が未記録の状態であった場合に、記録動作を行わない記録層に記録パワーによって信号を記録してしまわないように、かつ記録層への記録品質がよくなるようにデフォーカスするので、記録動作後に、未記録の記録層の品質も良好に保ち、かつ、記録動作を行った記録層の記録品質も良好にすることができる。
【発明を実施するための最良の形態】
【００３８】
本発明を実施するための最良の一形態について説明する。
【００３９】
図１は、本実施の形態の光ディスク装置の全体構成を示すブロック図である。図１に示すように、この光ディスク装置３１は、光ディスク１をスピンドルモータ２によって回転駆動する。スピンドルモータ２は、モータドライバ３とサーボコントローラ４とによって線速度一定（ＣＬＶ）又は回転数一定（ＣＡＶ）となるように制御される。その線速度は段階的に変更が可能である。光ピックアップ５は、特に図示しない光源としての半導体レーザ、所定の光学系、フォーカシングアクチュエータ、トラッキングアクチュエータ、受光器、ポジションセンサ等を内蔵しており、レーザ光Ｌを光ディスク１の記録面に照射する。所定の光学系には、レーザ光Ｌを光ディスク１の記録面に集光する対物レンズを含んでいる。
【００４０】
光ピックアップ５は、図示しないシークモータによりスレッジ方向（ディスク半径方向）に移動可能とされている。これらのフォーカシングアクチュエータ、トラッキングアクチュエータ、シークモータは、受光器やポジションセンサから得られる信号に基づきモータドライバ３とサーボコントローラ４とによってレーザ光Ｌの光スポットを光ディスク１上の目的の場所に位置させるように制御する。
【００４１】
光ディスク１のデータ再生時には、光ピックアップ５で得られた再生信号をリードアンプ６で増幅して２値化した後、ＣＤ／ＤＶＤデコーダ７に入力してデインターリーブとエラー訂正などの処理を行う。
【００４２】
その後、ＣＤ／ＤＶＤデコーダ７で処理したデータをバッファマネージャ８によって一旦バッファＲＡＭ９に蓄積し、セクタデータとして揃ったときにＨＯＳＴインタフェース（Ｉ／Ｆ）１０によって、ＰＣなどのホスト側へ一気に転送する。
【００４３】
一方、データ記録時には、ＨＯＳＴインタフェース１０によってホストから転送されたデータを受信すると、そのデータをバッファマネージャ８によって一旦バッファＲＡＭ９に蓄積する。バッファＲＡＭ９に或る程度のデータが溜まったときに記録を開始するが、その前にレーザスポットを書き込み開始地点に位置させる。その書き込み開始地点はトラック（プリグルーブ）の蛇行によって予め光ディスク１に刻まれているウォブル信号であるＡＴＩＰ（Absolute Time in Pre-Groove）信号、または、ＤＶＤにおいてはＡＤＩＰによって求められる。ＡＴＩＰ信号、またはＡＤＩＰ信号は、光ディスク１上の絶対番地を示す時間情報であり、ＡＴＩＰ／ＡＤＩＰデコーダ１１によってＡＴＩＰ信号、またはＡＤＩＰ信号の情報を取り出すとともに、当該信号のエラーを検出して検出エラー率を計測する。
【００４４】
また、ＡＴＩＰ／ＡＤＩＰデコーダ１１が生成する同期信号は、ＣＤ／ＤＶＤエンコーダ１２に入力されて正確な位置でのデータの書き出しを可能にしている。バッファＲＡＭ９のデータは、ＣＤ／ＤＶＤエンコーダ１２でエラー訂正コードの付加やインターリーブを行って光源駆動制御手段としてのレーザコントロール回路１３、光ピックアップ５を介して光ディスク１に記録される。
【００４５】
このような光ディスク装置３１は、上述の各部の動作を制御するためのＣＰＵ１７、ＲＯＭ１６及びＲＡＭ１５からなるマイクロコンピュータ１４を備えている。
【００４６】
そして、この光ディスク装置３１は、ＣＰＵ１７の制御に基づいて情報を記録しようとする光ディスク１のパワーキャリブレーションエリアにおいて、パワーキャリブレーション処理で最適記録パワー値を決定し、情報の記録時、前記最適記録パワー値に基づいて記録動作を行う。
【００４７】
図２は、光ディスク１、特にＣＤ−Ｒ／ＲＷの記録面のフォーマットの説明図である。光ディスク１の記録面は、データエリア１８と内周部に最適記録パワー値を求める時の試し書きのためのパワーキャリブレーションエリア（ＰＣＡ）１９からなる。前記ＰＣＡ１９はテストエリア（Test Area）２０とカウントエリア（Count Area）２１とからなるものであり、テストエリアは１００個のパーティションから構成され、それぞれのパーティションは１５個のフレームで構成されている。一般的なＯＰＣ動作では、１回のＯＰＣ動作で前記パーティションの１つが使用されるようになっており、これらパーティションの各々に含まれる１５個のフレームに対して少なくとも２つ以上のレーザパワーでテスト記録（符号２２）すると共に、それぞれのフレーム内のテスト信号を再生し、この再生信号の特性値（この特性値を以下βと呼ぶ）と目標としている値とを比較して、両者が一致した段階のレーザパワーを最適パワーとして検出する。
【００４８】
しかし、情報を光ディスク１に記録した場合の記録品質に対し影響を与えるパラメータは多様であり、特に光ピックアップ５でレーザビームを光ディスク１にフォーカスする対物レンズをフォーカス方向に変移させるデフォーカスが記録品質に影響を大きく与えることがある。例えば、図３のジッタ（Jitter）とフォーカス（Focus）位置との関係を示すグラフのように、光ディスク１にデータを記録後の記録品質を表すパラメータの一つであるジッタは、光ディスク１が、記録層が２層あるいはそれ以上の多層構造である多層記録媒体である場合に、このような光ディスク１の記録層の合焦位置に対して、ややずらした位置において最適となることがある。
【００４９】
そこで、光ディスク装置３１が実行する最適なフォーカス位置を決定するための処理の一例を、図４のフローチャートを参照して説明する。まず、ＣＰＵ１７は、情報を記録しようとする以前に、最適記録パワーを決定しようとするＯＰＣを実施し（ＯＰＣ実施手段）（ステップＳ１）、最適記録パワーＰｗが決定する（最適記録パワー決定手段）（ステップＳ２）。次に、先に決まった記録パワーＰｗを使って、フォーカス位置を変移させながら、光ディスク１にテストライトする（テストライト手段）（ステップＳ３）。このテストライトの結果から最適なフォーカスオフセット量を決定するために、記録後の再生信号の特性値が最適になるようにパラメータを決定する（決定手段）（ステップＳ４）。そして、実際の記録においては、前述によって決まった最適な記録パワーと最適なフォーカスオフセット量で記録を行う（ステップＳ５）。
【００５０】
このような処理において、フォーカス方向へ対物レンズの光ディスク１との位置を変化させて記録した後で、フォーカスオフセット量の最適値を決定するために、記録後の再生信号の特性値が最適になるようにパラメータを決定する（決定手段）。例えば、図３において、図４のフローチャートのようにデフォーカスしながらテストライトした位置を再生し、再生信号のジッタを測定すると、図３のように合焦位置に対してややずらした位置（最適Focus）で記録後のジッタが最良となることがある。そこで、光ディスク１に情報を記録する場合には、合焦位置においてフォーカスサーボした状態にフォーカスのオフセット量を付加することによって、フォーカスの制御位置をずらして記録動作を行う。
【００５１】
また、前述の処理でフォーカス方向へ対物レンズの光ディスク１との位置を変化させて記録した後で、フォーカス変化量の最適値を決定するために、光ディスク１に情報を記録中の同期信号の検出感度が最適になるようにパラメータを決定することができる（決定手段）。例えば、図５に、記録中の同期信号の検出感度として、ＤＶＤ＋Ｒ／ＲＷにおいて一般的に用いられるＰＭＳＮ（Phase Modulation Signal Noise ratio）と、フォーカス位置との関係を測定した一例を示す。前述の図４のフローチャートのように最適記録パワーを決定した後で、デフォーカスしながらテストライトするときに、デフォーカス量に対するＰＭＳＮを測定すると、図５のように合焦位置に対してややずらした位置（最適Focus）が記録中のＰＭＳＮが最良となることがある。
【００５２】
そこで、ＣＰＵ１７が、情報を記録する場合には、記録品質も良好にでき、ＰＭＳＮも良好にできるデフォーカス量を決定し、合焦位置においてフォーカスサーボした状態にオフセット量を付加することによって、フォーカスの制御位置をずらして記録動作を行うように制御することで、記録品質も良好にでき、ＰＭＳＮも良好にできる。
【００５３】
前述の処理でフォーカス方向へ対物レンズの光ディスク１との位置を変化させて記録した後で、フォーカスオフセット量の最適値を決定するために、光ディスク１が複数の記録層を備えた多層記録媒体である場合に、ＯＰＣを行っていない異なる記録層を再生することで、最適記録パラメータとなるフォーカス方向の変化量を決定することもできる（決定手段）。例えば、図６は光ディスク１に情報を記録しようとした場合における最適記録パラメータ決定手順を示す。まず、ＣＰＵ１７は、最適記録パワーを決定しようとするＯＰＣを実施し（ＯＰＣ手段）（ステップＳ６）、最適記録パワーＰｗを決定する（最適記録パワー決定手段）（ステップＳ７）。次に、先に決まった記録パワーＰｗを使って、フォーカス位置を変移させながらテストライトを行う（テストライト手段）（ステップＳ８）。このとき、情報を記録しようとする光ディスク１が２つ以上の記録層を有する前述の多層記録媒体であった場合には（ステップＳ９のＹ）、テストライトを行った記録層とは異なる記録層へ、フォーカスサーボをオンさせて、当該記録層の再生信号を測定することで（ステップＳ１０）、他層への悪影響のないデフォーカス量を限界デフォーカス量として制限しておく。再度、テストライトを行った記録層にオンフォーカスし再生信号の測定、評価することによって、最適な記録時デフォーカス量を決定する（決定手段）（ステップＳ１１）。そして、実際の記録においては、前述によって決まった最適な記録パワーと最適なフォーカスオフセット量で記録を行う（ステップＳ１２）。
【００５４】
続いて、光ディスク装置３１が実行する別の処理例について、図７のフローチャートに基いて説明する。図７は光ディスク１に情報を記録しようとした場合における最適記録パラメータ決定手順を示す。まず、ＣＰＵ１７は、最適記録パワーを決定しようとするＯＰＣを実施し（ＯＰＣ手段）（ステップＳ１３）、最適記録パワーＰｗを決定する（最適記録パワー決定手段）（ステップＳ１４）。次に、先に決まった記録パワーＰｗを使って、フォーカス位置を変移させながらテストライトを行う（テストライト手段）（ステップＳ１５）。このとき、情報を記録しようとする光ディスクが２つ以上の記録層を有する多層記録媒体であった場合には（ステップＳ１６のＹ）、テストライトを行った記録層とは異なる記録層へ、フォーカスサーボをオンさせて、当該記録層が既記録済であるかの判断を行う（ステップＳ１７）。当該記録層が既記録済であった場合は（ステップＳ１７のＹ）、記録済の記録層の再生信号に同期を取って、テストライトを行った光ディスク１の位置と同じ位置での再生信号の信号品質を測定する（決定手段）（ステップＳ１８）。この信号品質は、劣化しないことが望まれる。
【００５５】
次いで、当該記録層が未記録であった場合は（ステップＳ１７のＮ）、再生信号のアナログ信号振幅を評価する（決定手段）（ステップＳ１９）。この信号振幅としては、信号振幅が発生しないことが望まれる。これらの再生信号の評価から、他の記録層への悪影響のないデフォーカス量を限界デフォーカス量として制限しておく。再度、テストライトを行った記録層にオンフォーカスし再生信号の測定、評価することによって、最適な記録時デフォーカス量を決定する（決定手段）（ステップＳ２０）。そして、実際の記録においては、前述のように決まった最適な記録パワーと最適なフォーカスオフセット量とにより記録を行う（ステップＳ２１）。
【００５６】
なお、光ピックアップ５の対物レンズのフォーカス方向の変移量の最適化を、前述のように光ディスク１に対して情報を記録しようとする直前のＯＰＣ動作に続いて行うのではなく、あらかじめ光ディスク１の製造工程や検査工程などで行っておいて、光ディスク１のＲＯＭ領域などに記憶しておき、実際の記録時にはその値を読み出すことで、最適なデフォーカス量を検出して制御するようにしてもよい。
【００５７】
なお、本発明は、例に挙げたＣＤ−Ｒ／ＲＷ，ＤＶＤ＋Ｒ／ＲＷのみならず、ＤＶＤ−ＲＡＭ，ＤＶＤ−Ｒ／ＲＷ，Ｂｌｕ−Ｒａｙ  Ｄｉｓｃ，ＨＤ  ＤＶＤなどの他の方式の光ディスクにも適用することができる。
【図面の簡単な説明】
【００５８】
【図１】本発明を実施するための最良の一形態である光ディスク装置の全体構成を示すブロック図である。
【図２】光ディスク、特にＣＤ−Ｒ／ＲＷの記録面のフォーマットの説明図である。
【図３】ジッタとフォーカス位置との関係を示すグラフである。
【図４】光ディスク装置が実行する最適なフォーカス位置を決定するための処理の一例を示すフローチャートである。
【図５】記録中の同期信号の検出感度として、ＤＶＤ＋Ｒ／ＲＷにおいて一般的に用いられるＰＭＳＮと、フォーカス位置との関係を測定した一例を示すグラフである。
【図６】光ディスク装置が実行する最適なフォーカス位置を決定するための処理の他の例を示すフローチャートである。
【図７】光ディスク装置が実行する最適なフォーカス位置を決定するための処理の他の例を示すフローチャートである。
【符号の説明】
【００５９】
１  光ディスク
３１  光ディスク装置
【図１】
2005141851.tif 000003
【図２】
2005141851.tif 000004
【図３】
2005141851.tif 000005
【図４】
2005141851.tif 000006
【図５】
2005141851.tif 000007
【図６】
2005141851.tif 000008
【図７】
2005141851.tif 000009
【手続補正書】
【提出日】平成16年7月20日(2004.7.20)
【手続補正１】
【補正対象書類名】特許請求の範囲
【補正対象項目名】全文
【補正方法】変更
【補正の内容】
【特許請求の範囲】
【請求項１】
光ディスクに光を照射して行う情報の記録の最適記録パワーを決定しようとするＯＰＣを実施するＯＰＣ手段と、
前記記録の最適記録パワーで前記光を前記光ディスクに集光する対物レンズのフォーカス位置を変移させながら、前記光ディスクにテストライトするテストライト手段と、
このテストライトの結果から前記対物レンズの最適なフォーカスオフセット量のパラメータを決定するパラメータ決定手段と、
を備え、
前記パラメータ決定手段は、前記対物レンズのフォーカスオフセット量の最適値を決定するために、前記記録中の同期信号の検出感度が最適になるように前記パラメータを決定する、ことを特徴とする光ディスク装置。
【請求項２】
光ディスクに光を照射して行う情報の記録の最適記録パワーを決定しようとするＯＰＣを実施するＯＰＣ手段と、
前記記録の最適記録パワーで前記光を前記光ディスクに集光する対物レンズのフォーカス位置を変移させながら、前記光ディスクにテストライトするテストライト手段と、
このテストライトの結果から前記対物レンズの最適なフォーカスオフセット量のパラメータを決定するパラメータ決定手段と、
を備え、
前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする光ディスク装置。
【請求項３】
前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする請求項２に記載の光ディスク装置。
【請求項４】
前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする請求項２に記載の光ディスク装置。
【請求項５】
本装置は光ディスク記録装置である、ことを特徴とする請求項１〜４のいずれかの一に記載の光ディスク装置。
【請求項６】
本装置は光ディスク検査装置である、ことを特徴とする請求項１〜４のいずれかの一に記載の光ディスク装置。
【請求項７】
光ディスクに光を照射して行う情報の記録の最適記録パワーを決定しようとするＯＰＣを実施する工程と、
前記記録の最適記録パワーで前記光を前記光ディスクに集光する対物レンズのフォーカス位置を変移させながら、前記光ディスクにテストライトする工程と、
このテストライトの結果から前記対物レンズの最適なフォーカスオフセット量のパラメータを決定する工程と、
を含んでなり、
前記パラメータを決定する工程は、前記対物レンズのフォーカスオフセット量の最適値を決定するために、前記記録中の同期信号の検出感度が最適になるように前記パラメータを決定する、ことを特徴とするパラメータ決定方法。
【請求項８】
光ディスクに光を照射して行う情報の記録の最適記録パワーを決定しようとするＯＰＣを実施する工程と、
前記記録の最適記録パワーで前記光を前記光ディスクに集光する対物レンズのフォーカス位置を変移させながら、前記光ディスクにテストライトする工程と、
このテストライトの結果から前記対物レンズの最適なフォーカスオフセット量のパラメータを決定する工程と、
を含んでなり、
前記パラメータを決定する工程は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とするパラメータ決定方法。
【請求項９】
前記パラメータを決定する工程は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする請求項８に記載のパラメータ決定方法。
【請求項１０】
前記パラメータを決定する工程は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする請求項８に記載のパラメータ決定方法。
【請求項１１】
光ディスクに光を照射して行う情報の記録の最適記録パワーを決定しようとするＯＰＣを実施するＯＰＣ手段と、
前記記録の最適記録パワーで前記光を前記光ディスクに集光する対物レンズのフォーカス位置を変移させながら、前記光ディスクにテストライトするテストライト手段と、
このテストライトの結果から前記対物レンズの最適なフォーカスオフセット量のパラメータを決定する決定手段と、
を光ディスク装置に実行させる制御をコンピュータに実行させ、
前記パラメータ決定手段は、前記対物レンズのフォーカスオフセット量の最適値を決定するために、前記記録中の同期信号の検出感度が最適になるように前記パラメータを決定する、ことを特徴とするプログラム。
【請求項１２】
光ディスクに光を照射して行う情報の記録の最適記録パワーを決定しようとするＯＰＣを実施するＯＰＣ手段と、
前記記録の最適記録パワーで前記光を前記光ディスクに集光する対物レンズのフォーカス位置を変移させながら、前記光ディスクにテストライトするテストライト手段と、
このテストライトの結果から前記対物レンズの最適なフォーカスオフセット量のパラメータを決定する決定手段と、
を光ディスク装置に実行させる制御をコンピュータに実行させ、
前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とするプログラム。
【請求項１３】
前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする請求項１２に記載のプログラム。
【請求項１４】
前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする請求項１２に記載のプログラム。
【請求項１５】
請求項１１〜１４のいずれかの一に記載のプログラムを記憶していること、を特徴とする記憶媒体。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項１に記載の発明は、光ディスクに光を照射して行う情報の記録の最適記録パワーを決定しようとするＯＰＣを実施するＯＰＣ手段と、前記記録の最適記録パワーで前記光を前記光ディスクに集光する対物レンズのフォーカス位置を変移させながら、前記光ディスクにテストライトするテストライト手段と、このテストライトの結果から前記対物レンズの最適なフォーカスオフセット量のパラメータを決定するパラメータ決定手段と、を備え、前記パラメータ決定手段は、前記対物レンズのフォーカスオフセット量の最適値を決定するために、前記記録中の同期信号の検出感度が最適になるように前記パラメータを決定する、ことを特徴とする。
【手続補正６】
【補正対象書類名】明細書
【補正対象項目名】００１４
【補正方法】変更
【補正の内容】
【００１４】
請求項２に記載の発明は、光ディスクに光を照射して行う情報の記録の最適記録パワーを決定しようとするＯＰＣを実施するＯＰＣ手段と、前記記録の最適記録パワーで前記光を前記光ディスクに集光する対物レンズのフォーカス位置を変移させながら、前記光ディスクにテストライトするテストライト手段と、このテストライトの結果から前記対物レンズの最適なフォーカスオフセット量のパラメータを決定するパラメータ決定手段と、を備え、前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする。
【手続補正７】
【補正対象書類名】明細書
【補正対象項目名】００１５
【補正方法】変更
【補正の内容】
【００１５】
請求項３に記載の発明は、請求項２に記載の光ディスク装置において、前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする。
【手続補正８】
【補正対象書類名】明細書
【補正対象項目名】００１６
【補正方法】変更
【補正の内容】
【００１６】
請求項４に記載の発明は、請求項２に記載の光ディスク装置において、前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする。
請求項５に記載の発明は、請求項１〜３のいずれかの一に記載の光ディスク装置において、本装置は光ディスク記録装置である、ことを特徴とする。
請求項６に記載の発明は、請求項１〜３のいずれかの一に記載の光ディスク装置において、本装置は光ディスク検査装置である、ことを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項７に記載の発明は、光ディスクに光を照射して行う情報の記録の最適記録パワーを決定しようとするＯＰＣを実施する工程と、前記記録の最適記録パワーで前記光を前記光ディスクに集光する対物レンズのフォーカス位置を変移させながら、前記光ディスクにテストライトする工程と、このテストライトの結果から前記対物レンズの最適なフォーカスオフセット量のパラメータを決定する工程と、を含んでなり、前記パラメータを決定する工程は、前記対物レンズのフォーカスオフセット量の最適値を決定するために、前記記録中の同期信号の検出感度が最適になるように前記パラメータを決定する、ことを特徴とする。
【手続補正１３】
【補正対象書類名】明細書
【補正対象項目名】００２１
【補正方法】変更
【補正の内容】
【００２１】
請求項８に記載の発明は、光ディスクに光を照射して行う情報の記録の最適記録パワーを決定しようとするＯＰＣを実施する工程と、前記記録の最適記録パワーで前記光を前記光ディスクに集光する対物レンズのフォーカス位置を変移させながら、前記光ディスクにテストライトする工程と、このテストライトの結果から前記対物レンズの最適なフォーカスオフセット量のパラメータを決定する工程と、を含んでなり、前記パラメータを決定する工程は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする。
【手続補正１４】
【補正対象書類名】明細書
【補正対象項目名】００２２
【補正方法】変更
【補正の内容】
【００２２】
請求項９に記載の発明は、請求項８に記載のパラメータ決定方法において、前記パラメータを決定する工程は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする。
【手続補正１５】
【補正対象書類名】明細書
【補正対象項目名】００２３
【補正方法】変更
【補正の内容】
【００２３】
請求項１０に記載の発明は、請求項８に記載のパラメータ決定方法において、前記パラメータを決定する工程は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
請求項１１に記載の発明は、光ディスクに光を照射して行う情報の記録の最適記録パワーを決定しようとするＯＰＣを実施するＯＰＣ手段と、前記記録の最適記録パワーで前記光を前記光ディスクに集光する対物レンズのフォーカス位置を変移させながら、前記光ディスクにテストライトするテストライト手段と、このテストライトの結果から前記対物レンズの最適なフォーカスオフセット量のパラメータを決定する決定手段と、を光ディスク装置に実行させる制御をコンピュータに実行させ、前記パラメータ決定手段は、前記対物レンズのフォーカスオフセット量の最適値を決定するために、前記記録中の同期信号の検出感度が最適になるように前記パラメータを決定する、ことを特徴とする。
【手続補正２０】
【補正対象書類名】明細書
【補正対象項目名】００２８
【補正方法】変更
【補正の内容】
【００２８】
請求項１２に記載の発明は、光ディスクに光を照射して行う情報の記録の最適記録パワーを決定しようとするＯＰＣを実施するＯＰＣ手段と、前記記録の最適記録パワーで前記光を前記光ディスクに集光する対物レンズのフォーカス位置を変移させながら、前記光ディスクにテストライトするテストライト手段と、このテストライトの結果から前記対物レンズの最適なフォーカスオフセット量のパラメータを決定する決定手段と、を光ディスク装置に実行させる制御をコンピュータに実行させ、前記パラメータ決定手段は、前記対物レンズのフォーカスオフセット量の最適値を決定するために、前記光ディスクが複数の記録層を備えた多層記録媒体である場合に、前記テストライトを行っていない異なる前記記録層を再生することで、前記パラメータとなるフォーカス方向の変化量を決定する、ことを特徴とする。
【手続補正２１】
【補正対象書類名】明細書
【補正対象項目名】００２９
【補正方法】変更
【補正の内容】
【００２９】
請求項１３に記載の発明は、請求項１２に記載のプログラムにおいて、前記パラメータ決定手段は、前記光ディスクが複数の記録層を備えた多層記録媒体である場合に、前記テストライトを行っていない前記記録層の再生には、当該テストライトを行っていない前記記録層がすでに記録されている前記記録層のときには、既に記録されている信号から再生信号の同期を得て再生信号の特性を調べる、ことを特徴とする。
【手続補正２２】
【補正対象書類名】明細書
【補正対象項目名】００３０
【補正方法】変更
【補正の内容】
【００３０】
請求項１４に記載の発明は、請求項１２に記載のプログラムにおいて、前記パラメータ決定手段は、前記光ディスクが複数の記録層を備えた多層記録媒体である場合に、前記テストライトを行っていない前記記録層の再生には、当該テストライトを行っていない前記記録層が未記録の記録層のときは、アナログ再生信号の振幅レベルを測定し、所定のレベル以下であるデフォーカス量を用いる、ことを特徴とする。
【手続補正２３】
【補正対象書類名】明細書
【補正対象項目名】００３１
【補正方法】変更
【補正の内容】
【００３１】
請求項１５に記載の発明は、請求項１１〜１４のいずれかの一に記載のプログラムを記憶していること、を特徴とする。
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】変更
【補正の内容】
【００３４】
請求項１，７，１１記載の発明によれば、記録中の同期信号が最良に得られるデフォーカス位置で記録を行うことができるので、状態の悪い光ディスクへの記録や、サーボの乱れなどによる記録同期のはずれに起因する記録の失敗に陥ることなく、良好な品質で記録ができる。
【手続補正２７】
【補正対象書類名】明細書
【補正対象項目名】００３５
【補正方法】変更
【補正の内容】
【００３５】
請求項２，８，１２記載の発明によれば、情報を記録する場合の記録動作を行わない記録層への記録パワーの影響がなく、かつ記録品質を良好に保つことが可能であるため、複数層への記録をしても各記録層の記録品質を良好に保つことができる。
【手続補正２８】
【補正対象書類名】明細書
【補正対象項目名】００３６
【補正方法】変更
【補正の内容】
【００３６】
請求項３，９，１３記載の発明によれば、請求項２，８，１２記載の発明において、記録動作を行わない記録層が既記録済の状態であった場合に、記録動作を行わない記録層の再生信号が劣化しないように、かつ記録層への記録品質がよくなるようにデフォーカスするので、記録動作後に、既に記録してあった層の品質も良好に保ち、かつ、記録動作を行った記録層の記録品質も良好にすることができる。
【手続補正２９】
【補正対象書類名】明細書
【補正対象項目名】００３７
【補正方法】変更
【補正の内容】
【００３７】
請求項４，１０，１４記載の発明によれば、請求項２，８，１２記載の発明において、記録動作を行わない記録層が未記録の状態であった場合に、記録動作を行わない記録層に記録パワーによって信号を記録してしまわないように、かつ記録層への記録品質がよくなるようにデフォーカスするので、記録動作後に、未記録の記録層の品質も良好に保ち、かつ、記録動作を行った記録層の記録品質も良好にすることができる。